(57)【要約】【課題】給気のためのダクトをなくすことができる家屋用空気清浄装置及び該装置を備える家屋を提供すること。【解決手段】家屋１は、屋根１１と居住空間２０の天井１５との間で画成される家屋の遊び空間２１（天井裏空間）と、外壁１２と居住空間２０の側壁である内壁１３との間で画成され、家屋の遊び空間２１に連通する家屋の遊び空間２２（外内壁間空間）と、外気又は居住空間２０を区画した室内の空気を清浄化する家屋用空気清浄装置３０と、を有し、家屋用空気清浄装置３０は、家屋の遊び空間２１（天井裏空間）に清浄化した空気を給気し、当該給気に伴い流動する空気を家屋の遊び空間２２（外内壁間空間）へと流通させる。【選択図】図１
2017040418.tif 000002
【特許請求の範囲】
【請求項１】
居住空間と、該居住空間に隣接し非居住空間である家屋の遊び空間と、を有し、該居住空間と非居住空間とが気密構造である家屋に設置される家屋用空気清浄装置であって、
前記居住空間からの空気をその風量を制御して導入する風量調整装置と、
前記非居住空間にその風量を制御して給気する給気用換気装置と、
前記風量調整装置と給気用換気装置によって制御される風量の差分として屋外からの外気を自然導入して清浄化する外気清浄装置と
を備え、気密構造であることを特徴とする家屋用空気清浄装置。
【請求項２】
導入外気と室内空気とで熱交換することを特徴とする請求項１記載の家屋用空気清浄装置。
【請求項３】
導入される空気の温度及び／又は湿度を調整することを特徴とする請求項１又は２記載の家屋用空気清浄装置。
【請求項４】
居住空間と、該居住空間に隣接し非居住空間である家屋の遊び空間と、を有し、該居住空間と非居住空間とが気密構造である家屋であって、
前記居住空間からの空気をその風量を制御して導入する風量調整装置と、
前記非居住空間にその風量を制御して給気する給気用換気装置と、
前記風量調整装置と給気用換気装置によって制御される風量の差分として屋外からの外気を自然導入して清浄化する外気清浄装置と
を備え、気密構造である家屋用空気清浄装置を備えることを特徴とする家屋。
【発明の詳細な説明】
【技術分野】
【０００１】
本発明は、家屋用空気清浄装置及び該装置を備える家屋に関する。
【背景技術】
【０００２】
家屋は、住居であれば、例えは、居間、台所、客間、廊下等の複数の住居空間を備え、また、オフィスであれば、例えば、事務室、応接室、トイレ等の複数の区画部を備える。また、家屋には、空調機（エアコン）が設置され、住居空間ごとの空調が図られる。
【０００３】
特許文献１には、家屋本体に、天井裏空間に連通する外気吸入口と該外気吸入口から離間する位置に排気口を夫々設け、家屋本体の全体を気密部材により気密状態に形成すると共に家屋本体内には適宜の位置に換気流路を形成する通気口を配設し、天井裏空間には外気吸入口から外気を導入する外気導入装置を設置すると共に、通気性収納体内に粒状炭化物を収納した浄化用吸着体を配置し、外気導入装置により天井裏空間に吸引した外気を該浄化用吸着体に接触させて家屋本体内に流動させるようにしてなる空気浄化式家屋が記載されている。シックハウス症候群の発生原因を可及的に除去すると共に、異臭、湿気等も除去して快適な居住空間を確保できるとしている。
【０００４】
特許文献２には、熱交換器を備えて室内空気と外気との間で熱交換をしながら換気を行う熱交換換気装置が記載されている。特許文献２に記載の熱交換換気装置は、第一の給気通風路が給気風路の一方の口に第一の排気通風路が排気風路の一方の口に接続された熱交換器と、熱交換器の給気風路の他方の口に接続され、室内と室内吹出口を通してつながる第二の給気通風路と、熱交換器の排気風路の他方の口に接続され、室外と室外吹出口を通してつながる第二の排気通風路と、第二の排気通風路から分岐されて、排気流の一部が室内側へ戻る循環流を形成する循環空気通風路と、を備え、熱交換器の給気風路は、熱交換器の排気風路よりも長く形成される。
【先行技術文献】
【特許文献】
【０００５】
【特許文献１】特開２００２−７１１８６号公報
【特許文献２】特開２０１２−１３７２０５号公報
【発明の概要】
【発明が解決しようとする課題】
【０００６】
しかしながら、特許文献１記載の空気浄化式家屋では、外気を浄化装置によって浄化して家屋本体内に流動させて排気するという一方通行の空気の流れになっているために、家屋本体内の清浄な空気がそのまま排気されてしまって、外気を十分に浄化するには浄化装置の負担が重かった。
また、特許文献２記載の熱交換換気装置では、住居空間が増えると各居間等に設置する該装置の数が増えてしまうし、該装置を１つにして各居間等にまで給気・排気ダクトを配設すると該ダクトの数が増え、ダクトを人目に付かないように引き回すための家屋設計や、施工工事が必要となる。
【０００７】
本発明の目的は、給気のためのダクトをなくすと共に、室内の清浄な空気を有効活用して空気を浄化することができる家屋用空気清浄装置及び該装置を備える家屋を提供することにある。
【課題を解決するための手段】
【０００８】
本発明に係る家屋用空気清浄装置は、居住空間と、該居住空間に隣接し非居住空間である家屋の遊び空間と、を有し、該居住空間と非居住空間とが気密構造である家屋に設置される家屋用空気清浄装置であって、前記居住空間からの空気をその風量を制御して導入する風量調整装置と、前記非居住空間にその風量を制御して給気する給気用換気装置と、前記風量調整装置と給気用換気装置によって制御される風量の差分として屋外からの外気を自然導入して清浄化する外気清浄装置とを備え、気密構造であることを特徴とする。
【０００９】
本発明に係る家屋は、居住空間と、該居住空間に隣接し非居住空間である家屋の遊び空間と、を有し、該居住空間と非居住空間とが気密構造である家屋であって、前記居住空間からの空気をその風量を制御して導入する風量調整装置と、前記非居住空間にその風量を制御して給気する給気用換気装置と、前記風量調整装置と給気用換気装置によって制御される風量の差分として屋外からの外気を自然導入して清浄化する外気清浄装置とを備え、気密構造である家屋用空気清浄装置を備えることを特徴とする。
【００１０】
また、導入外気と室内空気とで熱交換することで、室内温度維持のためのエネルギーを節約することができる。
【００１１】
また、導入される空気の温度及び／又は湿度を調整することで、空気清浄化と共に室内温度及び／又は湿度も調整することかできる。
【発明の効果】
【００１２】
本発明によれば、給気のためのダクトをなくすことができる家屋用空気清浄装置及び該装置を備える家屋を提供することができる。
【図面の簡単な説明】
【００１３】
【図１】本発明の実施の形態に係る家屋用空気清浄装置を備える家屋の概略構成図である。
【図２】本発明の実施の形態に係る家屋用空気清浄装置の構成図である。
【図３】本発明の実施の形態に係る家屋用空気清浄装置の構成図である。
【図４】本発明の実施の形態に係る家屋用空気清浄装置を備える家屋の換気計画を説明する図である。
【発明を実施するための形態】
【００１４】
以下、添付図面を参照しながら本発明を実施するための形態について詳細に説明する。
（実施の形態）
図１は、本発明の実施の形態に係る家屋用空気清浄装置を備える家屋の概略構成図である。
図１に示すように、家屋１は、基礎（図示省略）に建てられた高気密・高断熱の住居である。図１の白抜矢印は、空気の流れを示している。
家屋１は、屋根１１、外壁１２、内壁１３、床１４、及び天井１５を備え、内壁１３、床１４、及び天井１５で区画された空間は、住居空間２０を形成する。また、屋根１１と天井１５の裏（天井裏１５ａ）の空間は、非居住空間である家屋の遊び空間２１（請求項２に記載の天井裏空間）を形成する。家屋の遊び空間２１は、天井懐（いわゆる屋根裏）である。
【００１５】
さらに、外壁１２と内壁１３の間には、図１の白抜矢印に示すように、空気を通すための所定の隙間を有し、外壁１２と内壁１３の間の隙間も非居住空間である家屋の遊び空間２２を形成する。なお、外壁１２と内壁１３の間に断熱材（図示省略）を設けてもよいが、断熱材を設ける場合でも外壁１２と内壁１３の間には空気を通すための流路を形成するようにする。
家屋の遊び空間２１（天井懐）と家屋の遊び空間２２（外内壁の隙間）（請求項２に記載の外内壁間空間）とは、図１に示すように、住居空間２０上部の天井１５付近において連通しており、家屋の遊び空間２１（天井懐）に給気された空気は、家屋の遊び空間２２（外内壁の隙間）に流入する。なお、本明細書では、家屋の遊び空間２１，２２とは、住居空間２０に密接した家屋１の非居住空間をいう。家屋の遊び空間２１，２２は、多くの家屋で存在している。
【００１６】
内壁１３と天井１５との角部の住居空間２０には、家屋用空気清浄装置３０が設置される。家屋用空気清浄装置３０は、筺体３０ａ内に、家屋１の外部から外気（家の外の空気）を取り入れて清浄する外気清浄部３１と、清浄した空気を家屋の遊び空間２１（天井懐）に送風する送風モータからなる給気用換気装置３２と、外気清浄部３１が屋外から外気を導入するための外気導入口３３と、家屋の遊び空間２１（天井懐）に面して開口し、給気用換気装置３２の吹き出し口である給気口３４と、筺体３０ａ内への室内空気導入を調整する風量調整装置３５と、を備える。なお、室内空気は、風量調整装置３５から筺体３０ａ内に入る。外気は、家屋用空気清浄装置３０の外気清浄部３１により清浄化され、清浄化後の外気は、給気用換気装置３２によって、家屋の遊び空間２１（天井懐）に給気（送風）される。
【００１７】
家屋用空気清浄装置３０は、筺体３０ａにより概略密閉されているので、外気清浄部３１から給気された清浄後の外気は、給気用換気装置３２によって筺体３０ａの外の家屋の遊び空間２１に押し出される。なお、家屋用空気清浄装置３０は、外気を清浄した空気を家屋の遊び空間２１に送風できる場所に設置されるものであればよく、筺体３０ａを住居空間２０の外（例えば、家屋１の外や屋根裏）に設置してもよい。家屋用空気清浄装置３０の詳細構成については後記する。
【００１８】
天井１５の外気導入口（天井グリル）には、複数の風量調整装置４１が設置される。複数の風量調整装置４１は、モータによる能動的なものと、ダンパーによる受動的なもののいずれも使用できる。複数の風量調整装置４１は、家屋の遊び空間２１（天井懐）に給気された空気（清浄化後外気）を、住居空間２０に導入する際に、その風量を設定可能である。すなわち、室内の給気口において送風する量は、複数の風量調整装置４１によって制御される。天井１５の外気導入口（天井グリル）に複数の風量調整装置４１を設置することで、必要な風量を設定でき、適正な空気環境を実現することができる。
【００１９】
また、天井１５には、排気用の風量調整装置４２が設置され、天井裏１５ａには、排気用の風量調整装置４２にダクト４３を介して連通する排気用換気装置４０が設置される。排気用換気装置４０は、排気用の風量調整装置４２からの空気を集めてダクト４４を介して屋外に排気する。排気用の風量調整装置４２は、各居住空間２０からの排気のための風量が設定可能である。すなわち、屋外に排気する量は、家屋全体として排気用換気装置４０によって制御され、各居住空間からの排気は排気用の風量調整装置４２によって制御される。
【００２０】
排気用の風量調整装置４２は、家屋用空気清浄装置３０の給気口３４から最も離隔した天井１５位置（ここでは、図１の左側の給気口３４と離れた図１の右側位置）に設置される。複数の風量調整装置４１と排気用の風量調整装置４２とを離隔して設置することで、家屋の遊び空間２１，２２から住居空間２０への給気と住居空間２０からの排気とを効果的に分離し、住居空間２０内で循環させることで、室内の空気をより清浄に保つことができる。
【００２１】
このように、本実施形態は、（給気用換気装置３２及び排気用の風量調整装置４２により）第一種換気システムを構成している。これにより、吸気と換気をそれぞれ強制的に行い、しかも各部位で風量設定が可能なため、住宅毎に最適な計画換気が行える（住宅全体として第一種換気システムの形態となる）。なお、第一種換気システムとは、機械給気／機械排気をいい、第二種換気システムとは、機械給気／自然排気をいい、第三種換気システムとは、自然給気／機械排気をいう。
【００２２】
<家屋用空気清浄装置３０>
図２及び図３は、家屋用空気清浄装置３０の構成図であり、図２は、その正面図、図３は、その上方から見た平面図である。
図２及び図３に示すように、家屋用空気清浄装置３０の外気清浄部３１には、外壁１２及び内壁１３に開口した外気導入口３３に連通して、屋外から外気を取り入れる断熱ダクト３６が取り付けられる。
【００２３】
外気清浄部３１は、フィルタなどの空気清浄器（図示省略）を有し、断熱ダクト３６を通して導入した外気を清浄し、清浄後の外気として給気する。家屋用空気清浄装置３０は、筺体３０ａによる概略密閉構造となっているので、給気用換気装置３２が稼働すると、筺体３０ａ内は負圧となる。このため、筺体３０ａ内の外気清浄部３１は、導入した外気を清浄して外部に自然給気する。なお、筺体３０ａには、風量調整装置３５が取り付けられており、風量調整装置３５は、筺体３０ａ内への室内空気導入量を調整する。
【００２４】
家屋用空気清浄装置３０の給気用換気装置３２には、家屋の遊び空間２１（天井懐）に開口した給気口３４に連通する非断熱ダクト３７が取り付けられる。給気用換気装置３２は、筺体３０ａ内の内外混合空気（外気清浄部３１から給気された清浄後の外気と風量調整装置３５を通して導入した室内空気との混合空気）を、非断熱ダクト３７を通して家屋の遊び空間２１（天井懐）に送風する。また、家屋用空気清浄装置３０の筺体３０ａ内には、エアコン３８を設置してもよい。
家屋用空気清浄装置３０は、家屋１の外部から外気を取り入れて清浄し、清浄し温湿度調整した空気を家屋の遊び空間２１（天井懐）に送風する。これにより、家屋の遊び空間２１（天井懐）には、家屋用空気清浄装置３０により清浄化され温湿度調整された空気が送り出される。
【００２５】
家屋用空気清浄装置３０は、動力としての送風モータからなる給気用換気装置３２を有する。給気用換気装置３２の送風量をＯｕｔとし、風量調整装置３５の送風量をＩｎ１とした場合、家屋用空気清浄装置３０の外気清浄部３１は、送風量Ｉｎ２＝Ｏｕｔ−Ｉｎ１となるように自然給気する。
【００２６】
このように、家屋用空気清浄装置３０を備える家屋１は、家屋用空気清浄装置３０が、家屋の遊び空間２１，２２に給気し、家屋の遊び空間２１，２２を流通して室内（住居空間２０）に送風する。室内の給気口において送風する量は、複数の風量調整装置４１によって制御する。さらに、屋外に排気する量を排気用換気装置４０及び排気用の風量調整装置４２によって制御する。上述したように、風量調整装置３５、４１、４２には、モータによる能動的なものとダンパーによる受動的なものとがあり、いずれも使用できる。
【００２７】
図４は、家屋用空気清浄装置３０を備える家屋１の換気計画を説明する図であり、図４（ａ）は、１階の部屋割を示し、図４（ｂ）は、２階の部屋割を示す。
図４（ａ）に示すように、１階は、ホール・廊下・玄関、ＬＤＫ、キッチン、洋室１、洗面脱衣所、浴室、トイレ、階段室を備える。
図４（ｂ）に示すように、２階は、廊下・フリースペース、主寝室、洋室２、洋室３、ウォークインクロゼット、トイレを備える。
ＬＤＫ、キッチン、洋室１、洗面脱衣所、トイレ、トイレ、主寝室、及び廊下・フリースペースの各室には、排気口１３１〜１３７が設けられ、排気口１３１〜１３７は、図示しないダクトを介して家屋用空気清浄装置３０（図１参照）に繋がれる。なお、いくつかの排気口１３１〜１３７からは直接屋外に排気することもできる。
上記部屋割による住居空間の割り当ては、一般的なものである。
【００２８】
以下、上述のように構成された家屋用空気清浄装置３０を備える家屋１の作用について説明する。
図１に示すように、家屋１は、高気密高断熱構造であり、住居空間２０と、天井懐に形成された家屋の遊び空間２１と、外内壁の隙間に形成された家屋の遊び空間２２と、外気を清浄化し温湿度調整して家屋の遊び空間２１（天井懐）に給気する家屋用空気清浄装置３０と、を有する。家屋の遊び空間２１，２２は、多くの家屋で存在している。
【００２９】
図１の白抜矢印ａに示すように、家屋用空気清浄装置３０は、調整した空気（清浄後外気）を、家屋の遊び空間２１（天井懐）に給気（送風）する。図１の例では、家屋用空気清浄装置３０は、調整した空気を、天井裏１５ａの左側の家屋の遊び空間２１（天井懐）の上方に向けて給気する。家屋の遊び空間２１（天井懐）に給気された空気は、図１の白抜矢印ａに示すように、天井裏１５ａ上の家屋の遊び空間２１（天井懐）を八方方向に流れる。
家屋の遊び空間２１（天井懐）に給気された空気は、以下に述べる空気流路（１）（２）を通って住居空間２０の各室に供給される。
【００３０】
<空気流路（１）>
図１に示すように、天井裏１５ａ上の家屋の遊び空間２１（天井懐）は、外壁１２と内壁１３の間の家屋の遊び空間２２（外内壁の隙間）に連通している。このため、家屋の遊び空間２１（天井懐）に給気された空気は、図１の白抜矢印ｂに示すように、家屋の遊び空間２１（天井懐）から外壁１２及び内壁１３に沿って家屋の遊び空間２２（外内壁の隙間）に流入する。家屋の遊び空間２１（天井懐）から家屋の遊び空間２２（外内壁の隙間）に流入する空気は、図１の左側の家屋の遊び空間２２（外内壁の隙間）のみならず、図１の右側の家屋の遊び空間２２（外内壁の隙間）および図１の前後方向の家屋の遊び空間（図示省略）においても下方に向かって同様に流れる。
【００３１】
ここで、家屋１は、高気密・高断熱の住居であるので、漏気等による風量の減少や屋外の温度環境を受けにくい。特に、居住空間２０の天井１５との間で画成される家屋の遊び空間２１（天井裏空間）と、外壁１２と居住空間２０の側壁である内壁１３との間で画成される家屋の遊び空間２２（外内壁間空間）とは、それぞれ高気密に保たれて連通しており、漏気等は非常に少ない。このため、家屋用空気清浄装置３０により調整された空気は、安定した風量で、家屋の遊び空間２２（外内壁の隙間）を通って住居空間２０の下側の床１４下まで流通する（図１の白抜矢印ｃ参照）。
【００３２】
<空気流路（２）>
一方、家屋の遊び空間２１（天井懐）に給気された空気の一部は、図１の白抜矢印ｄに示すように、天井裏１５ａ上を右方向（中央方向）に流れる。
家屋の遊び空間２１（天井懐）の中央方向に給気された空気は、天井１５の外気導入口（天井グリル）に設置された複数の風量調整装置４１から住居空間２０内に給気される（図１の白抜矢印ｅ参照）。室内の給気口において送風する量は、複数の風量調整装置４１によって制御される。これにより、住居空間２０では、複数の風量調整装置４１（天井グリル）から清浄化され温湿度調整された空気が給気される（図１の白抜矢印ｆ参照）。
また、図１の白抜矢印ｇに示すように、排気用換気装置４０は、排気用の風量調整装置４２からの住居空間２０の空気を集めてダクト４４を介して屋外に排気する（図１の白抜矢印ｈ参照）。屋外に排気する量は、排気用の風量調整装置４２によっても制御可能である。
【００３３】
ところで、家屋１は、高気密・高断熱の住居であり、家屋の遊び空間２１（天井裏空間）と、外壁１２と家屋の遊び空間２２（外内壁間空間）とは、それぞれ高気密に保たれて連通しているので、家屋の遊び空間２１，２２から屋外等への漏気は非常に少ない。したがって、家屋用空気清浄装置３０が家屋の遊び空間２１に給気する外気の給気量は、天井１５の外気導入口（天井グリル）に設置した複数の風量調整装置４１によって調整することができる。
【００３４】
このように、家屋用空気清浄装置３０を備える家屋１は、家屋用空気清浄装置３０により清浄化され温湿度調整された空気を、天井裏１５ａ上の家屋の遊び空間２１（天井懐）に送風し、そして、この家屋の遊び空間２１（天井懐）の清浄化された空気を、家屋の遊び空間２１（天井懐）に連通する家屋の遊び空間２２（外内壁の隙間）を壁伝いに流通させる。家屋の遊び空間２１，２２を流通した空気は、複数の風量調整装置４１や壁、床などから住居空間２０に供給される。
【００３５】
以上説明したように、家屋１は、屋根１１と居住空間２０の天井１５との間で画成される家屋の遊び空間２１（天井裏空間）と、外壁１２と居住空間２０の側壁である内壁１３との間で画成され、家屋の遊び空間２１に連通する家屋の遊び空間２２（外内壁間空間）と、外気又は居住空間２０を区画した室内の空気を清浄化する家屋用空気清浄装置３０と、を有し、家屋用空気清浄装置３０は、家屋の遊び空間２１（天井裏空間）に清浄化した空気を給気し、当該給気に伴い流動する空気を家屋の遊び空間２２（外内壁間空間）へと流通させる。
【００３６】
このように、家屋用空気清浄装置３０を備える家屋１は、家屋の遊び空間（天井裏、外壁と内壁の間）を空気循環（清浄空気送風）のための通路（ダクト）として利用する。すわなち、各室に清浄化した空気を供給する給気のための通路には、家屋の遊び空間２１，２２を使い、各室からの空気を集める排気口１３１〜１３７には排気ダクトを使う。このため、給気と排気の空気が混ざることがない。
特に、家屋用空気清浄装置３０を備える家屋１は、給気のためのダクトが存在しないので費用（ダクト材や工事費）を大幅に削減できる。なお、排気ダクトを使用することで、各階等毎により効率的に送風することも可能である。
【００３７】
また、家屋用空気清浄装置３０から住居空間２０までダクトを引き回す必要がないことから、給気のためのダクトを人目に付かないような特別な設計手法や施工が不要となる効果がある。また、給気のためのダクトを天井や壁の中を引き回すと、ダクト径の分だけ、天井や壁の厚みが増し、居間や台所といった居住空間、あるいは事務室の狭小化を招きやすい。本実施形態では、給気のためのダクトが不要なことから、壁等の厚みを増すことなく、住居空間の狭小化を抑制できる。
【００３８】
また、家屋の遊び空間２１，２２は、多くの家屋において存在するものであるので、特別な設計や工法を用いる必要はない。既存の家屋設計手法や施工工事手法をそのまま適用できることから、設計や施工を簡略化できる。
【００３９】
本実施形態では、家屋用空気清浄装置３０は、外気清浄部３１にフィルタや空気清浄器を設置することで、吸気による室内汚染の不安解消（例えばＰＭ２．５や待機汚染物質による人体への影響緩和）を図ることができる。
【００４０】
また、本実施形態では、導入する外気は、直接各室に送風せず一旦、家屋用空気清浄装置３０に入れ、家屋用空気清浄装置３０は室内空気の一部を還流させる。これにより、導入外気と室内空気を混合して加温することができ、熱交換機と同様の効果を得ることができる。
【００４１】
また、家屋用空気清浄装置３０は、エアコン３８を設置することで温湿度調整も可能である。室内の温湿度環境緩和及び使用者の不快感（冷風感やじめじめ感等）を緩和することができる。また、エアコン３８を設置することで熱交換型換気装置に使われる熱交換素子の汚染等の不安がなくメンテナンスも不要である。
【００４２】
また、本実施形態では、住居空間２０に面して複数の風量調整装置４１を設置しているので、各室への外気導入量を調整・設定することが可能である。例えば、図１に示すように、天井１５の外気導入口（天井グリル）に複数の風量調整装置４１を設置することで風量を設定できる。必要な風量を設定できるので適正な空気環境を実現することができる。また、外気導入量と室内空気還流量との比率が設定可能になる。
【００４３】
ここで、家屋１の構造は、高気密高断熱でなければ、漏気等により安定した風量が確保できず、また屋外の温度環境を受けやすくなるので、高気密高断熱であることが望ましい。
また、家屋用空気清浄装置３０は、導入外気により他室に影響を与えないため、単独で気密断熱処理を行うものであることが望ましい。
【００４４】
以上の説明は本発明の好適な実施の形態の例証であり、本発明の範囲はこれに限定されることはない。
例えば、高気密高断熱構造の一例として、ツーバイフォー等の他の建築工法により建築する家屋がある。
【符号の説明】
【００４５】
１  家屋
１１  屋根
１２  外壁
１３  内壁
１４  床
１５  天井
１５ａ  天井裏
２０  居住空間
２１  家屋の遊び空間（天井裏空間）
２２  家屋の遊び空間（外内壁間空間）
３０  家屋用空気清浄装置
３０ａ  筺体
３１  外気清浄部
３２  給気用換気装置
３３  外気導入口
３４  給気口
３５  風量調整装置
３６  断熱ダクト
３７  非断熱ダクト
３８  エアコン
４０  排気用換気装置
４１  風量調整装置
４２  風量調整装置
１３１〜１３７  排気口
【図１】
2017040418.tif 000003
【図２】
2017040418.tif 000004
【図３】
2017040418.tif 000005
【図４】
2017040418.tif 000006